(57)【要約】【課題】時間軸における情報のずれを許容することで、統計的なデータのずれを抑制する。【解決手段】摂動化装置は、送信データを入力する入力手段と、送信データにノイズを付加する摂動化手段と、該ノイズが付加されたデータを送信する送信手段と、ノイズ付きのデータからノイズ情報を抽出する抽出手段と、次のデータの摂動化のために、該抽出したノイズ情報を前記摂動化手段にフィードバックするフィードバック手段と、を備える。【選択図】図２
2012054859.tif 000002
【特許請求の範囲】
【請求項１】
送信データを入力する入力手段と、
送信データにノイズを付加する摂動化手段と、
該ノイズが付加されたデータを送信する送信手段と、
ノイズ付きのデータからノイズ情報を抽出する抽出手段と、
次のデータの摂動化のために、該抽出したノイズ情報を前記摂動化手段にフィードバックするフィードバック手段と、
を備えたことを特徴とする摂動化装置。
【請求項２】
２つの閾値をＴ１、Ｔ２、ノイズ情報の和をＳ、次に付与するノイズをｎとしたときに、Ｔ１＜Ｓ＋ｎ＜Ｔ２を満たすことを特徴とする請求項１に記載の摂動化装置。
【請求項３】
送信データを入力する入力手段と、
入力した送信データを格納する格納手段と、
該格納された送信データの中から１つのデータをランダムに選択する選択手段と、
該選択されたデータを送信データとして送信する送信手段と、
を備えたことを特徴とする摂動化装置。
【請求項４】
前記格納手段に予め定めた個数の送信データがないときに、ダミーデータを生成するダミーデータ生成手段と、
該生成されたダミーデータを処理して前記格納手段に格納する処理手段と、
を備えたことを特徴とする請求項３に記載の摂動化装置。
【請求項５】
送信データを入力する送信データ入力手段と、
外部データを入力する外部データ入力手段と、
該外部データを考慮してノイズ付きデータを生成する摂動化手段と、
該ノイズ付きデータを送信する送信手段と、
を備えたことを特徴とする摂動化装置。
【請求項６】
前記外部データが他のユーザからのデータであることを特徴とする請求項５に記載の摂動化装置。
【請求項７】
利用者が送信するデータを入力する第１のステップと、
ランダムにノイズを生成する第２のステップと、
ノイズをデータに付与し、ノイズ付きデータとして送信する第３のステップと、
ノイズ情報をフィードバックし、次のデータの摂動化を行う第４のステップと、
を備えたことを特徴とする摂動化方法。
【請求項８】
利用者が送信するデータを摂動化装置に入力する第１のステップと、
送信するデータを一旦バッファに蓄積する第２のステップと、
バッファに十分な数のデータが格納されているときに、その中から１つをランダムに選択し、送信する第３のステップと、
バッファに十分な個数が無いときに、ダミーデータを生成し送信する第４のステップと、
を備えたことを特徴とする摂動化方法。
【請求項９】
利用者が送信するデータを摂動化装置に入力する第１のステップと、
外部サーバ等からデータを取得する第２のステップと、
取得したデータを考慮してノイズ付きデータを生成する第３のステップと、
該生成したノイズ付きデータを送信する第４のステップと、
を備えたことを特徴とする摂動化方法。
【請求項１０】
データにノイズを付加する摂動化方法をコンピュータに実行させるためのプログラムであって、
利用者が送信するデータを入力する第１のステップと、
ランダムにノイズを生成する第２のステップと、
ノイズをデータに付与し、ノイズ付きデータとして送信する第３のステップと、
ノイズ情報をフィードバックし、次のデータの摂動化を行う第４のステップと、
をコンピュータに実行させるためのプログラム。
【請求項１１】
データにノイズを付加する摂動化方法をコンピュータに実行させるためのプログラムであって、
利用者が送信するデータを摂動化装置に入力する第１のステップと、
送信するデータを一旦バッファに蓄積する第２のステップと、
バッファに十分な数のデータが格納されているときに、その中から１つをランダムに選択し、送信する第３のステップと、
バッファに十分な個数が無いときに、ダミーデータを生成し送信する第４のステップと、
をコンピュータに実行させるためのプログラム。
【請求項１２】
データにノイズを付加する摂動化方法をコンピュータに実行させるためのプログラムであって、
利用者が送信するデータを摂動化装置に入力する第１のステップと、
外部サーバ等からデータを取得する第２のステップと、
取得したデータを考慮してノイズ付きデータを生成する第３のステップと、
該生成したノイズ付きデータを送信する第４のステップと、
をコンピュータに実行させるためのプログラム。
【発明の詳細な説明】
【技術分野】
【０００１】
本発明は、統計的なデータのずれを抑制する摂動化装置、摂動化方法およびプログラムに関する。
【背景技術】
【０００２】
近年、プライバシ保護に注目が集まっている。例えば、位置情報サービス等で、位置情報をサービス提供者に送付することが考えられるが、位置情報をそのまま送付しては、サービス提供者が利用者の現在位置の把握や行動追跡が可能となり、プライバシ侵害に繋がる可能性がある。そこで、プライバシ保護手法が検討されてきた。
【０００３】
データのプライバシ保護手法としては、摂動による方法と非摂動による方法がある。摂動による方法の典型例としては、ある一定のノイズを付加してデータを登録する手法がある（例えば、非特許文献１参照。）。
【先行技術文献】
【非特許文献】
【０００４】
【非特許文献１】Ｗ．Ａ．Ｆｕｌｌｅｒ，Ｍａｓｋｉｎｇ  ｐｒｏｃｅｄｕｒｅｓ ｆｏｒ  ｍｉｃｒｏｄａｔａ  ｄｉｓｃｌｏｓｕｒｅ ｌｉｍｉｔａｔｉｏｎ，  Ｉｎ  Ｊｏｕｒｎａｌ  ｏｆ  Ｏｆｆｉｃｉａｌ  Ｓｔａｔｉｓｔｉｃｓ  Ｖｏｌ．９，１９９３．
【発明の概要】
【発明が解決しようとする課題】
【０００５】
しかしながら、上記の手法は、データを登録する差異に、個々のデータに対して実行可能であるという利点を持つが、一方で、ノイズにより実データからのずれが大きいという問題がある。
【０００６】
そこで、本発明は、上述の課題に鑑みてなされたものであり、時間軸における情報のずれを許容することで、統計的なデータのずれを抑制する摂動化装置、摂動化方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、送信データを入力する入力手段（例えば、図１の入力部１１０に相当）と、送信データにノイズを付加する摂動化手段（例えば、図１の摂動化部１２０に相当）と、該ノイズが付加されたデータを送信する送信手段（例えば、図１の送信部１３０に相当）と、ノイズ付きのデータからノイズ情報を抽出する抽出手段（例えば、図１の抽出部１４０に相当）と、次のデータの摂動化のために、該抽出したノイズ情報を前記摂動化手段にフィードバックするフィードバック手段（例えば、図１のフィードバック部１５０に相当）と、を備えたことを特徴とする摂動化装置を提案している。
【０００９】
この発明によれば、入力手段は、送信データを入力する。摂動化手段は、送信データにノイズを付加する。送信手段は、ノイズが付加されたデータを送信する。抽出手段は、ノイズ付きのデータからノイズ情報を抽出する。フィードバック手段は、次のデータの摂動化のために、抽出したノイズ情報を摂動化手段にフィードバックする。したがって、数値等定量的なデータをノイズとして加えることができる場合に、時間軸における情報のずれを許容することで、統計的なデータのずれを抑制することができる。
【００１０】
（２）本発明は、（１）の摂動化装置について、２つの閾値をＴ１、Ｔ２、ノイズ情報の和をＳ、次に付与するノイズをｎとしたときに、Ｔ１＜Ｓ＋ｎ＜Ｔ２を満たすことを特徴とする摂動化装置を提案している。
【００１１】
この発明によれば、２つの閾値をＴ１、Ｔ２、ノイズ情報の和をＳ、次に付与するノイズをｎとしたときに、Ｔ１＜Ｓ＋ｎ＜Ｔ２を満たす。したがって、上記のような条件を与えることにより、統計量のノイズを常に一定以下に抑えることができる。
【００１２】
（３）本発明は、送信データを入力する入力手段（例えば、図３の入力部２１０に相当）と、入力した送信データを格納する格納手段（例えば、図３の格納部２２０に相当）と、該格納された送信データの中から１つのデータをランダムに選択する選択手段（例えば、図３の選択部２４０に相当）と、該選択されたデータを送信データとして送信する送信手段（例えば、図３の送信部２３０に相当）と、を備えたことを特徴とする摂動化装置を提案している。
【００１３】
この発明によれば、入力手段は、送信データを入力する。格納手段は、入力した送信データを格納する。選択手段は、格納された送信データの中から１つのデータをランダムに選択する。送信手段は、選択されたデータを送信データとして送信する。したがって、送信するデータに対して、定量的なノイズを付加できない場合であっても、時間軸における情報のずれを許容することで、統計的なデータのずれを抑制することができる。
【００１４】
（４）本発明は、（３）の摂動化装置について、前記格納手段に予め定めた個数の送信データがないときに、ダミーデータを生成するダミーデータ生成手段と、該生成されたダミーデータを処理して前記格納手段に格納する処理手段と、を備えたことを特徴とする摂動化装置を提案している。
【００１５】
この発明によれば、ダミーデータ生成手段は、格納手段に予め定めた個数の送信データがないときに、ダミーデータを生成する。処理手段は、生成されたダミーデータを処理して格納手段に格納する。したがって、格納手段に十分なデータがない場合であっても、ダミーデータを用いることによりプライバシの保護を実行することができる。
【００１６】
（５）本発明は、送信データを入力する送信データ入力手段（例えば、図５の送信データ入力部３１０に相当）と、外部データを入力する外部データ入力手段（例えば、図５の外部データ入力部３２０に相当）と、該外部データを考慮してノイズ付きデータを生成する摂動化手段（例えば、図５の摂動化部３３０に相当）と、該ノイズ付きデータを送信する送信手段（例えば、図５の送信部３４０に相当）と、を備えたことを特徴とする摂動化装置を提案している。
【００１７】
この発明によれば、送信データ入力手段は、送信データを入力する。外部データ入力手段は、外部データを入力する。摂動化手段は、外部データを考慮してノイズ付きデータを生成する。送信手段は、ノイズ付きデータを送信する。したがって、外部データを用いることにより、効率的なノイズを付加できるため、統計的なデータのずれを抑制することができる。
【００１８】
（６）本発明は、（５）の摂動化装置について、前記外部データが他のユーザからのデータであることを特徴とする摂動化装置を提案している。
【００１９】
この発明によれば、外部データが他のユーザからのデータである。したがって、他のユーザからのデータを考慮することにより、効率的なノイズを付加することができる。
【００２０】
（７）本発明は、利用者が送信するデータを入力する第１のステップ（例えば、図２のステップＳ１０１に相当）と、ランダムにノイズを生成する第２のステップ（例えば、図２のステップＳ１０２に相当）と、ノイズをデータに付与し、ノイズ付きデータとして送信する第３のステップ（例えば、図２のステップＳ１０３に相当）と、ノイズ情報をフィードバックし、次のデータの摂動化を行う第４のステップ（例えば、図２のステップＳ１０４に相当）と、を備えたことを特徴とする摂動化方法を提案している。
【００２１】
この発明によれば、利用者が送信するデータを入力し、ランダムにノイズを生成する。そして、ノイズをデータに付与し、ノイズ付きデータとして送信して、ノイズ情報をフィードバックし、次のデータの摂動化を行う。したがって、数値等定量的なデータをノイズとして加えることができる場合に、時間軸における情報のずれを許容することで、統計的なデータのずれを抑制することができる。
【００２２】
（８）本発明は、利用者が送信するデータを摂動化装置に入力する第１のステップ（例えば、図４のステップＳ２０１に相当）と、送信するデータを一旦バッファに蓄積する第２のステップ（例えば、図４のステップＳ２０２に相当）と、バッファに十分な数のデータが格納されているときに、その中から１つをランダムに選択し、送信する第３のステップ（例えば、図４のステップＳ２０３に相当）と、バッファに十分な個数が無いときに、ダミーデータを生成し送信する第４のステップ（例えば、図４のステップＳ２０４に相当）と、を備えたことを特徴とする摂動化方法を提案している。
【００２３】
この発明によれば、利用者が送信するデータを摂動化装置に入力し、送信するデータを一旦バッファに蓄積する。そして、バッファに十分な数のデータが格納されているときに、その中から１つをランダムに選択し、送信し、バッファに十分な個数が無いときに、ダミーデータを生成し送信する。したがって、送信するデータに対して、定量的なノイズを付加できない場合であっても、時間軸における情報のずれを許容することで、統計的なデータのずれを抑制することができる。
【００２４】
（９）本発明は、利用者が送信するデータを摂動化装置に入力する第１のステップ（例えば、図６のステップＳ３０１に相当）と、外部サーバ等からデータを取得する第２のステップ（例えば、図６のステップＳ３０２に相当）と、取得したデータを考慮してノイズ付きデータを生成する第３のステップ（例えば、図６のステップＳ３０３に相当）と、該生成したノイズ付きデータを送信する第４のステップ（例えば、図６のステップＳ３０４に相当）と、を備えたことを特徴とする摂動化方法を提案している。
【００２５】
この発明によれば、利用者が送信するデータを摂動化装置に入力し、外部サーバ等からデータを取得する。そして、取得したデータを考慮してノイズ付きデータを生成し、生成したノイズ付きデータを送信する。したがって、外部データを用いることにより、効率的なノイズを付加できるため、統計的なデータのずれを抑制することができる。
【００２６】
（１０）本発明は、データにノイズを付加する摂動化方法をコンピュータに実行させるためのプログラムであって、利用者が送信するデータを入力する第１のステップ（例えば、図２のステップＳ１０１に相当）と、ランダムにノイズを生成する第２のステップ（例えば、図２のステップＳ１０２に相当）と、ノイズをデータに付与し、ノイズ付きデータとして送信する第３のステップ（例えば、図２のステップＳ１０３に相当）と、ノイズ情報をフィードバックし、次のデータの摂動化を行う第４のステップ（例えば、図２のステップＳ１０４に相当）と、をコンピュータに実行させるためのプログラムを提案している。
【００２７】
この発明によれば、利用者が送信するデータを入力し、ランダムにノイズを生成する。そして、ノイズをデータに付与し、ノイズ付きデータとして送信して、ノイズ情報をフィードバックし、次のデータの摂動化を行う。したがって、数値等定量的なデータをノイズとして加えることができる場合に、時間軸における情報のずれを許容することで、統計的なデータのずれを抑制することができる。
【００２８】
（１１）本発明は、データにノイズを付加する摂動化方法をコンピュータに実行させるためのプログラムであって、利用者が送信するデータを摂動化装置に入力する第１のステップ（例えば、図４のステップＳ２０１に相当）と、送信するデータを一旦バッファに蓄積する第２のステップ（例えば、図４のステップＳ２０２に相当）と、バッファに十分な数のデータが格納されているときに、その中から１つをランダムに選択し、送信する第３のステップ（例えば、図４のステップＳ２０３に相当）と、バッファに十分な個数が無いときに、ダミーデータを生成し送信する第４のステップ（例えば、図４のステップＳ２０４に相当）と、をコンピュータに実行させるためのプログラムを提案している。
【００２９】
この発明によれば、利用者が送信するデータを摂動化装置に入力し、送信するデータを一旦バッファに蓄積する。そして、バッファに十分な数のデータが格納されているときに、その中から１つをランダムに選択し、送信し、バッファに十分な個数が無いときに、ダミーデータを生成し送信する。したがって、送信するデータに対して、定量的なノイズを付加できない場合であっても、時間軸における情報のずれを許容することで、統計的なデータのずれを抑制することができる。
【００３０】
（１２）本発明は、データにノイズを付加する摂動化方法をコンピュータに実行させるためのプログラムであって、利用者が送信するデータを摂動化装置に入力する第１のステップ（例えば、図６のステップＳ３０１に相当）と、外部サーバ等からデータを取得する第２のステップ（例えば、図６のステップＳ３０２に相当）と、取得したデータを考慮してノイズ付きデータを生成する第３のステップ（例えば、図６のステップＳ３０３に相当）と、該生成したノイズ付きデータを送信する第４のステップ（例えば、図６のステップＳ３０４に相当）と、をコンピュータに実行させるためのプログラムを提案している。
【００３１】
この発明によれば、利用者が送信するデータを摂動化装置に入力し、外部サーバ等からデータを取得する。そして、取得したデータを考慮してノイズ付きデータを生成し、生成したノイズ付きデータを送信する。したがって、外部データを用いることにより、効率的なノイズを付加できるため、統計的なデータのずれを抑制することができる。
【発明の効果】
【００３２】
本発明によれば、時間軸における情報のずれを許容することにより、プライバシを保護しつつ、統計的なデータのずれを抑制したデータを取得できるという効果がある。このため、例えば、プライバシを保ったまま、実社会におけるサービスの利用履歴を提供することでマーケティング情報を収集するといったサービスを提供することができる。
【図面の簡単な説明】
【００３３】
【図１】本発明の第１の実施形態に係る摂動化装置の構成を示す図である。
【図２】本発明の第１の実施形態に係る摂動化装置の処理を示す図である。
【図３】本発明の第２の実施形態に係る摂動化装置の構成を示す図である。
【図４】本発明の第２の実施形態に係る摂動化装置の処理を示す図である。
【図５】本発明の第３の実施形態に係る摂動化装置の構成を示す図である。
【図６】本発明の第３の実施形態に係る摂動化装置の処理を示す図である。
【発明を実施するための形態】
【００３４】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３５】
＜第１の実施形態＞
図１および図２を用いて、本発明の第１の実施形態に係る摂動化装置について説明する。本実施形態に係る摂動化装置は、数値等定量的なデータをノイズとして加えることができる場合の摂動化装置に関するものである。
【００３６】
＜摂動化装置の構成＞
本実施形態に係る摂動化装置は、図１に示すように、入力部１１０と、摂動化部１２０と、送信部１３０と、抽出部１４０と、フィードバック部１５０とから構成されている。
【００３７】
入力部１１０は、送信データを入力する。摂動化部１２０は、送信データにノイズを付加する。送信部１３０は、ノイズが付加されたデータを送信する。抽出部１４０は、ノイズ付きのデータからノイズ情報を抽出する。フィードバック部１５０は、次のデータの摂動化のために、抽出したノイズ情報を摂動化部１２０にフィードバックする。
【００３８】
ここで、２つの閾値をＴ１、Ｔ２、ノイズ情報の和をＳ、次に付与するノイズをｎとしたときに、Ｔ１＜Ｓ＋ｎ＜Ｔ２を満たす。したがって、上記のような条件を与えることにより、統計量のノイズを常に一定以下に抑えることができる。
【００３９】
＜摂動化装置の処理＞
図２を用いて、本実施形態に係る摂動化装置の処理について説明する。
【００４０】
まず、利用者が送信するデータを入力し（ステップＳ１０１）、ランダムにノイズを生成する（ステップＳ１０２）。そして、ノイズをデータに付与し、ノイズ付きデータとして送信して（ステップＳ１０３）、ノイズ情報をフィードバックし、次のデータの摂動化を行う（ステップＳ１０４）。
【００４１】
以上、説明したように、本実施形態によれば、数値等定量的なデータをノイズとして加えることができる場合に、時間軸における情報のずれを許容することで、統計的なデータのずれを抑制することができる。
【００４２】
＜第２の実施形態＞
図３および図４を用いて、本発明の第２の実施形態に係る摂動化装置について説明する。本実施形態に係る摂動化装置は、送信するデータに対して、定量的なノイズを付加できない場合の摂動化装置に関するものである。
【００４３】
＜摂動化装置の構成＞
本実施形態に係る摂動化装置は、図３に示すように、入力部２１０と、格納部２２０と、送信部２３０と、選択部２４０とから構成されている。
【００４４】
入力部１１０は、送信データを入力する。格納部２２０は、入力した送信データを格納する。選択部２４０は、格納された送信データの中から１つのデータをランダムに選択する。送信部２３０は、選択されたデータを送信データとして送信する。
【００４５】
さらに、図示しないダミーデータ生成部と処理部とを備え、ダミーデータ生成部は、格納部２２０に予め定めた個数の送信データがないときに、ダミーデータを生成する。処理部は、生成されたダミーデータをフィードバック関数を介して処理して格納部２２０に格納する。したがって、格納部２２０に十分なデータがない場合であっても、ダミーデータを用いることによりプライバシの保護を実行することができる。
【００４６】
＜摂動化装置の処理＞
図４を用いて、本実施形態に係る摂動化装置の処理について説明する。
【００４７】
まず、利用者が送信するデータを入力し（ステップＳ２０１）、送信するデータを一旦バッファに蓄積する（ステップＳ２０２）。そして、バッファに十分な数のデータが格納されているときに、その中から１つをランダムに選択して送信し（ステップＳ２０３）、バッファに十分な個数が無いときに、ダミーデータを生成し送信する（ステップＳ２０４）。
【００４８】
以上、説明したように、本実施形態によれば、送信するデータに対して、定量的なノイズを付加できない場合であっても、時間軸における情報のずれを許容することで、統計的なデータのずれを抑制することができる。
【００４９】
＜第３の実施形態＞
図５および図６を用いて、本発明の第３の実施形態に係る摂動化装置について説明する。本実施形態に係る摂動化装置は、送信するデータに対して、外部データを考慮してノイズを付加する場合の摂動化装置に関するものである。
【００５０】
＜摂動化装置の構成＞
本実施形態に係る摂動化装置は、図５に示すように、送信データ入力部３１０と、外部データ入力部３２０と、摂動化部３３０と、送信部３４０とから構成されている。
【００５１】
送信データ入力部３１０は、送信データを入力する。外部データ入力部３２０は、外部データを入力する。摂動化部３３０は、外部データを考慮してノイズ付きデータを生成する。送信部３４０は、ノイズ付きデータを送信する。
【００５２】
ここで、外部データは、例えば、他のユーザからのデータである。したがって、他のユーザからのデータを考慮することにより、効率的なノイズを付加することができる。
【００５３】
＜摂動化装置の処理＞
図６を用いて、本実施形態に係る摂動化装置の処理について説明する。
【００５４】
まず、利用者が送信するデータを入力し（ステップＳ３０１）、外部サーバ等からデータを取得する（ステップＳ３０２）。そして、取得したデータを考慮してノイズ付きデータを生成し（ステップＳ３０３）、生成したノイズ付きデータを送信する（ステップＳ３０４）。
【００５５】
以上、説明したように、本実施形態によれば、外部データを用いることにより、効率的なノイズを付加できるため、統計的なデータのずれを抑制することができる。
【００５６】
なお、摂動化装置の処理をコンピュータ読み取り可能な記録媒体に記録し、この記録媒体に記録されたプログラムを摂動化装置に読み込ませ、実行することによって本発明の摂動化装置を実現することができる。ここでいうコンピュータシステムとは、ＯＳや周辺装置等のハードウェアを含む。
【００５７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００５８】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００５９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６０】
１１０；入力部
１２０；摂動化部
１３０；送信部
１４０；抽出部
１５０；フィードバック部
２１０；入力部
２２０；格納部
２３０；送信部
２４０；選択部
３１０；送信データ入力部
３２０；外部データ入力部
３３０；摂動化部
３４０；送信部
【図１】
2012054859.tif 000003
【図２】
2012054859.tif 000004
【図３】
2012054859.tif 000005
【図４】
2012054859.tif 000006
【図５】
2012054859.tif 000007
【図６】
2012054859.tif 000008